(57)【要約】【課題】網部材の着脱を容易にした通気口部材を提供する。【解決手段】送風路に接続するための屋内側開口と、屋内側開口を含む平面に対して略垂直平面上に配置され鉛直下方に向けて開口する屋外側開口と、屋内側開口と屋外側開口とを連通する管状の通風路と、屋外側開口を覆う網部材と、を備え、通風路は、屋外側開口の位置において対向する二つの辺から内周方向に突出する網置突部と、対向する二つの辺の端部において網置突部を有さない切欠部と、を備えた通気口部材を提供する。【選択図】図４
2020051660.tif 000002
【特許請求の範囲】
【請求項１】
送風路に接続するための屋内側開口と、
前記屋内側開口を含む平面に対して略垂直平面上に配置され鉛直下方に向けて開口する屋外側開口と、
前記屋内側開口と前記屋外側開口とを連通する管状の通風路と、
前記屋外側開口を覆う網部材と、を備え、
前記通風路は、
前記屋外側開口の位置において対向する二つの辺から内周方向に突出する網置突部と、
前記対向する二つの辺の端部において前記網置突部を有さない切欠部と、を備えた通気口部材。
【請求項２】
前記網部材は、
矩形形状を有し、
前記矩形形状を形成する対向二辺の長さは、
前記網置突部における突出先端同士の距離よりも長く、
前記通風路にて前記網置突部が設けられた対向する壁面の距離よりも短い、請求項１記載の通気口部材。
【請求項３】
前記通風路は、
第一側面部材と、
前記第一側面部材と対向する第二側面部材と、
前記第一側面部材と第二側面部材とに隣接する前方部材と、
前記前方部材と対向し前記前方部材よりも前記屋内側開口側に位置する後方部材と、を備え、
前記網置突部は、
前記第一側面部材及び前記第二側面部材に設けられた請求項１または２に記載の通気口部材。
【請求項４】
前記通風路は、
第一側面部材と、
前記第一側面部材と対向する第二側面部材と、
前記第一側面部材と第二側面部材とに隣接する前方部材と、
前記前方部材と対向し前記前方部材よりも前記屋内側開口側に位置する後方部材と、を備え、
前記網置突部は、
前記前方部材及び前記後方部材に設けられた請求項１または２に記載の通気口部材。
【請求項５】
前記切欠部は、
前記網置突部の両側に設けられた請求項１から４のいずれかに記載の通気口部材。
【発明の詳細な説明】
【技術分野】
【０００１】
本発明は、通気口部材に関するものである。
【背景技術】
【０００２】
従来、給気用屋外フードは、異物の侵入を防止するための網（フィルタ）を給気入口に備える構成が知られている（特許文献１）。
【先行技術文献】
【特許文献】
【０００３】
【特許文献１】特許第５３６２８７４号公報
【発明の概要】
【発明が解決しようとする課題】
【０００４】
このような従来の給気用屋外フードは、網を取り外す際、網を固定している固定部材を外しても網が落下しないように、網をスライドさせて着脱する構造とするのが一般的である。しかしながら、作業者は網の長さ寸法分、体を移動させる必要があり、フードが取り付いているような高所において、網を見ながら、すなわち足場を見ない状態で体を移動させるのは危険であるという課題があった。
【０００５】
そこで本発明は、上記従来の課題を解決するものであり、網の着脱を容易にするものである。
【課題を解決するための手段】
【０００６】
そして、この目的を達成するために、本発明に係る通気口部材は、送風路に接合するための屋内側開口と前記屋内側開口を含む平面に対して略垂直平面上に配置され鉛直下方に向けて開口する屋外側開口を有し前記屋内側開口と前記屋外側開口とを連通する上方部材と、前記屋外側開口を下方に延長する管状の下方部材と、を備えた通気口部材であって、前記下方部材は、第一側面部材と、前記第一側面部材と対向する第二側面部材と、前記第一側面部材と前期第二側面部材とに隣接する前方部材と、前記前方部材と対向し前記前方部材よりも前記屋内側開口側に位置する後方部材と、を備え、前記第一側面部材と前記第二側面部材と前記前方部材とは、当該通気口部材の設置状態における下方から上方に向かう平面であって前記上方部材に係止される垂直接合平面を備え、前記屋外側開口の内側に設置される長方形状の網部材と、前記屋外側開口の位置において対向する二つの辺から内周方向に突出する網置突部と、前記対向する二つの辺の端部において前記網置突部を有さない切欠部を備えるものであって、これにより所期の目的を達成するものである。
【発明の効果】
【０００７】
本発明によれば、網部材の着脱時における高所作業の危険性を低減する通気口部材を提供することができる。
【図面の簡単な説明】
【０００８】
【図１】本発明に係る通気口部材の建物への施工状態を示す概要図
【図２】通気口部材の側面図
【図３】下方部材を上方から見た斜視図
【図４】網部材取り付け時の通気口部材を下方から見た斜視図
【図５】通気口部材の下面図
【図６】従来の構成で網を着脱する際の模式図
【図７】本発明の構成で網を着脱する際の模式図
【発明を実施するための形態】
【０００９】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００１０】
（実施の形態１）
以下、図１、図２、図３を用いて本発明に係る通気口部材１について説明する。なお、図１は通気口部材１の建物への施工状態を示す概要図、図２は通気口部材１の側面図、図３は下方部材３を上方から見た斜視図である。
【００１１】
通気口部材１は、ビルや工場などの建物の外壁面１９などに取り付けられ、つまり屋外２０に配置される。通気口部材１は、外壁面１９近傍にて、外壁面１９を屋内２１側に貫通して設置される側通気用のダクト２２の一端に接合される。通気口部材１は、例えばダクト２２の他端に設置された送風機２３による、屋外２０から屋内２１への送風により発生した気流２４を通過させる。つまり通気口部材１は、屋外２０から屋内２１への風路の一部である通風路２５を構成する。
【００１２】
通気口部材１は、通風路２５の途中で、図２に示すように、部材として上方部材２と下方部材３に分割されている。
【００１３】
上方部材２は、屋内側開口４と下方側開口５を備える。
【００１４】
屋内側開口４は、開口面、つまり屋内側開口４を含む平面が外壁面１９に対して平行に設けられる。
【００１５】
下方側開口５は、屋内側開口４の開口面に対して略垂直平面上に配置される。つまり下方側開口５は、開口を鉛直下方に向けて配置される。下方側開口５には、下方部材３が当該下方側開口５を下方に延長し、言い換えると通風路２５を下方に延長するように接合されている。つまり、通風路２５は略Ｌ字形状に屈折する。
【００１６】
図３に示すように、下方部材３は、第一側面部材７と第二側面部材８と前方部材９と後方部材１０と屋外側開口１２を備える。
【００１７】
第一側面部材７は、下方部材３の一側面を形成する。本実施の形態においては、第一側面部材７は、図２における紙面に平行な面であって、手前側に位置する面を構成する部材と定義する。第一側面部材７は、板状の略方形形状を有しており、詳しくは下面が後方部材１０から前方部材９側にかけて下方に傾斜する台形形状を有する。
【００１８】
第二側面部材８は第一側面部材７と対向する面を形成する。形状は第一側面部材７と同一であり、下面が後方部材１０から前方部材９側にかけて下方に傾斜する台形形状を有する。
【００１９】
前方部材９は、第一側面部材７と第二側面部材８に隣接して設けられる。本実施の形態においては、前方部材９は図１における建物などの外壁面１９から遠い位置に配置されている部材と定義する。
【００２０】
下方部材３の上方付近には、図３に示すように、複数の下方接合穴１１が設けられており、上方部材２の上方接合穴６と一致するように係止される。
【００２１】
下方部材３と上方部材２とが係止されることで図１に示す通気口部材１の外郭が形成される。
【００２２】
続いて図４、図５を用いて本発明における屋外側開口１２周辺と網部材１３の構造について説明する。図４は網部材１３が取り付けられた状態の通気口部材１を下方から見た斜視図、図５は通気口部材１の下面図である。
【００２３】
下方部材３は、図４、図５に示すように、網置突部１４と、切欠部１５と、網部材１３とを備える。
【００２４】
網置突部１４は、第一側面部材７と第二側面部材８それぞれの下辺であって屋外側開口１２に接する二辺に取り付けられる。網置突部１４は、矩形形状を有し、当該二辺から屋外側開口１２の内周方向に突出する。ここで内周方向とは、通風路２５の中心軸方向を指す。網置突部１４は、矩形形状の面が取り付けられる第一側面部材７と第二側面部材８の下端の辺と平行、つまり、屋外側開口１２と同一平面に属する。そして、屋外側開口１２と同様、後方部材１０から前方部材９側にかけて下方に傾斜するように設けられる。そして、網置突部１４は、第一側面部材７と第二側面部材８の下端の辺の中央近傍に位置し、網部材１３を下方から支持する。これにより、網部材１３の固定が外れた際に網部材１３の落下を防止することができる。
【００２５】
切欠部１５は、網置突部１４と同一平面上に位置し、網置突部１４の前方部材９側と後方部材１０側の両側に空間として設けられる。また、切欠部１５が網置突部１４の後方部材１０側にも存在することで、網置突部１４を下方部材３に取り付ける際に対称性が確保される。これにより、二つある網置突部１４部品の流用が可能になることと、施工者の誤取付を防止することができる。
【００２６】
網部材１３は矩形形状の枠体の内部に格子状の金網を配置した部材である。網部材１３は、網の目が略鉛直方向を向くように下方部材３の最下端に挿入され、第一側面部材７および第二側面部材８とに係止される。下方部材３の最下端は後方部材１０から前方部材９側にかけて下方に傾斜する形状であり、網部材１３は水平面に対して前後方向に傾斜した状態で取り付けられる。網部材１３の第一側面部材７側と第二側面部材８側の二辺の長さは、図５における二つの網置突部１４の突部先端同士（間）の距離Ａよりも長い。また網部材１３の第一側面部材７側と第二側面部材８側の二辺の長さは、第一側面部材７の内壁面と第二側面部材８の内壁面の距離Ｂよりも短い。そして網部材１３の他二辺の長さは、前方部材９と後方部材１０の内壁面の距離Ｃよりも短い。
【００２７】
続いて図６、図７を用いて、網部材１３の着脱手順を説明する。図６は従来の構成で網を着脱する際の模式図、図７は本発明の構成で網を着脱する際の模式図である。
【００２８】
通気口部材１は、ビルや工場などの建物の外壁面１９に設置されるため、高所に設置されることがある。高所作業では、移動式クレーンに取り付けられたゴンドラ１６などの狭所での作業が多い。このとき、作業者１７は網部材を前後方向に可動させることで網部材の着脱作業を行う。ここで、前後方向とは外壁面１９の方向とそれに対向する方向と定義する。しかしながら、従来の構成では網部材は略水平状態でしか可動しないため、作業者１７は、図６に示すように網部材の長さ寸法分、体を移動させる必要があった。したがって、作業者１７が足元や作業する周囲の環境を目視できない状態で体を移動させるため、特に高所において、作業に危険を伴うことがあった。
【００２９】
一方、図７に示すように、本発明の構成では、作業者は、網置突部１４の前方部材９側の端部２６を支点にして網部材１３を斜め上方向に挿入する。網部材１３の挿入位置は、前方部材９側の切欠部１５である。網部材１３の挿入時には、作業者は網部材１３の作業者側端部近傍を把持するため、網部材１３の荷重が作業者に負担になるが、端部２６を支点にして網部材１３を支えることができるため、作業者への荷重負担が軽減される。そして作業者は、網部材１３が通気口部材１に挿入されるにつれて、網部材１３の挿入先端を水平方向に倒してゆく。そして、網部材１３全体が通気口部材１に挿入されると、網部材１３と屋外側開口１２とは同一平面に位置し、網置突部１４が網部材１３の荷重を支える状態となる。この状態で、作業者は網部材１３に設けられたネジ孔と、屋外側開口１２に設けられたネジ孔とを一致させて網部材１３を通気口部材１にネジ止めする。
【００３０】
これにより作業者１７は手の移動のみで網部材１３を容易に取り付けることが可能となる。したがって、作業者１７の負担を軽減するとともに、作業者１７が周囲の状況や網部材１３の状態を確認しながら作業に従事することで、高所作業での危険を低減することが可能となる。
【００３１】
また、例えば作業現場の外壁面１９に対向する外壁面１８があり、作業環境が著しく狭い状況が考えられる。このような状況において、従来の構成では網を取り付けるための十分なスペースが存在せず、着脱が不可能になる恐れがあることに対し、通気口部材１であれば、網部材１３を着脱することが可能である。
【００３２】
なお、必ずしも網置突部１４および切欠部１５の存在は第一側面部材７および第二側面部材８の対向する二辺に限定する必要はない。例えば前方部材９と後方部材１０の対向する二辺、すなわち下方部材３の対向する任意の二辺に設けてもよい。網置突部１４および切欠部１５を前方部材９と後方部材１０の対向する二辺に備える場合、外壁面１９に対向する外壁面１８が非常に近い場合であっても、網部材１３の挿抜空間が十分確保できるため、容易に着脱が可能となる。また、網置突部１４の両側に切欠部１５が設けられているため、作業者１７からみて左右どちらからでも取付が可能となるため通気口部材の設置場所を選ばない。
【００３３】
なお、上記は網部材１３の取り付け作業について説明したが、取り外し作業でも同様の効果を得られることは言うまでもない。
【産業上の利用可能性】
【００３４】
本発明にかかる通気口部材は、網部材を容易に着脱可能であるため、建物に施工される換気口全般への利用が考えられる。
【符号の説明】
【００３５】
１    通気口部材
２    上方部材
３    下方部材
４    屋内側開口
５    下方側開口
６    上方接合穴
７    第一側面部材
８    第二側面部材
９    前方部材
１０    後方部材
１１    下方接合穴
１２    屋外側開口
１３    網部材
１４    網置突部
１５    切欠部
１６    ゴンドラ
１７    作業者
１８    対向する外壁面
１９    外壁面
２０    屋外
２１    屋内
２２    ダクト
２３    送風機
２４    気流
２５    通風路
２６    端部
【図１】
2020051660.tif 000003
【図２】
2020051660.tif 000004
【図３】
2020051660.tif 000005
【図４】
2020051660.tif 000006
【図５】
2020051660.tif 000007
【図６】
2020051660.tif 000008
【図７】
2020051660.tif 000009